(57)【要約】【課題】複雑で且つ大型の墓であっても、特別の熟練を必要とせず比較的短期間に容易に施工できる墓及びその施工方法を提供する。【解決手段】複数の墓石類構成体を組立てて接着剤で互に固着して一体化した墓石セットを製作し、予め打設した基礎コンクリート面上に墓石セットが固着されているコンクリート座板を載置し、基礎コンクリート面とコンクリート座板の間を接着剤で固着して施工するセット組立てした墓の施工方法と、この方法で得られるセット組立てした墓である。【選択図】図１
2005126937.tif 000002
【特許請求の範囲】
【請求項１】
基礎コンクリート面上に、墓石類構成体を組合せて一体化した墓石セットが固着されているコンクリート座板を載置し、該コンクリート座板を基礎コンクリート面上に接着剤で固着することを特徴とするセット組立てした墓の施工方法。
【請求項２】
墓石セットが墓石本体部と、納骨堂部及び拝観門部からなり、それぞれが墓石類構成体を工場組立てして、一体化されているものであることを特徴とする請求項１記載のセット組立てした墓の施工方法。
【請求項３】
墓石本体部は、蓋石の上に下台，上台，及び石碑の順に組立てて互に接着剤で固着して一体化させるとともに、上記蓋石を納骨堂部の上面に載置し互に接着剤で固着することを特徴とする請求項１又は２記載のセット組立てした墓の施工方法。
【請求項４】
納骨堂部は、コンクリート座板の左右両端部と後端部にそれぞれ玉垣を立設し、該玉垣に囲まれた空間内に方形の区画を形成するよう４本の柱を立設し、該柱間を腰壁で接続してなり、該腰壁の上面に墓石本体部の蓋石を載置して接着剤で固着させるとともに、上記コンクリート座板は基礎コンクリート面上に載置して接着剤で固着させることを特徴とする請求項１乃至３のいずれか１項記載のセット組立てした墓の施工方法。
【請求項５】
拝観門部は、コンクリート座板の左右両端部に玉垣をそれぞれ立設し、上記コンクリート座板の左右両前端にはそれぞれ門柱を立設するとともに、上記拝観門部のコンクリート座板は、納骨堂部のコンクリート座板の前端に接して基礎コンクリート面上に載置し、接着剤で固着させることを特徴とする請求項１乃至４のいずれか１項記載のセット組立てした墓の施工方法。
【請求項６】
請求項１乃至５のいずれか１項に記載された施工方法で施工したセット組立てした墓。
【発明の詳細な説明】
【技術分野】
【０００１】
本発明は、セット組立てした墓の施工方法と、この方法でセット組立した墓に関する。
【背景技術】
【０００２】
従来、墓は石碑（竿石又は仏石）、上台、下台、蓋石（スラブ）その他各種墓石類構成体を工場で所定形状に加工し、これら墓石類構成体をそれぞれ施工現場（墓所）に運搬してから組立施工する方法が一般的であった。しかしながら、近年納骨堂や拝観門部を有し、墓石類構成体を多数備えた複雑且つ大型の墓の施工が多くなり、墓石類構成体を１個、１個現場で組立て施工するには多くの手間を要すると共に、レベル出しを正確に行うには熟練を要するという問題があった。
【０００３】
上記問題を改善する策として、複数の墓石類構成体を複数段重ねてなる墓石類を墓所に施工するに当り、複数の全部又は主要部の墓石類構成体を工場で組立てし、該組立てした全部又は主要部の墓石類構成体をクレーン等による吊り下げを利用して墓所まで運搬して仮設置し、コンクリート打設にて墓所に固定するようにした墓石類の施工方法及び耐震構造を有する墓石類が開示されているが、仮設置してレベル出しを行い、コンクリートを打設するようにしてあり、レベル出しに手間がかかると共に、打設したコンクリートが固化（養生）するに際し、レベルが狂うなどの問題点があった。（例えば特許文献１参照）。
【特許文献１】特開平９−７８８８５号公報
【発明の開示】
【発明が解決しようとする課題】
【０００４】
本発明は、多数の墓石類構成体からなる複雑且つ大型の墓であっても、容易に、且つ特別の熟練を必要とせずに短かい工期で墓を組立てる方法及びこの方法で組立した墓を提供することを課題とする。
【課題を解決するための手段】
【０００５】
本発明の主要な特徴は以下のとおりである。
（１）基礎コンクリート面上に、墓石類構成体を組合せて一体化した墓石セットが固着されているコンクリート座板を載置し、該コンクリート座板を基礎コンクリート面上に接着剤で固着することを特徴とするセット組立てした墓の施工方法である。
（２）墓石セットが墓石本体部と、納骨堂部及び拝観門部からなり、それぞれが墓石類構成体を工場組立てして、一体化されているものであることを特徴とする前項（１）記載のセット組立てした墓の施工方法である。
（３）墓石本体部は、蓋石の上に下台、上台及び石碑の順に組立てて互に接着剤で固着して一体化させるとともに、上記蓋石は、納骨堂部の上面に載置し互に接着剤で固着することを特徴とする前項（１）又は（２）記載のセット組立てした墓の施工方法である。
（４）納骨堂部は、コンクリート座板の左右両端部と後端部にそれぞれ玉垣を立設し、該玉垣に囲まれた空間内に方形の区画を形成するよう４本の柱を立設し、該柱間を腰壁で接続してなり、該腰壁の上面に墓石本体部の蓋石を載置して接着剤で固着させるとともに、上記コンクリート座板は基礎コンクリート面上に載置して接着剤で固着させることを特徴とする前項（１）乃至（３）のいずれか１項記載のセット組立てした墓の施工方法である。
（５）拝観門部は、コンクリート座板の左右両端部に玉垣をそれぞれ立設し、上記コンクリート座板の左右両前端にはそれぞれ門柱を立設するとともに、上記拝観門部のコンクリート座板は、納骨堂部のコンクリート座板の前端に接して基礎コンクリート面上に載置し、接着剤で固着させることを特徴とする前項（１）乃至（４）のいずれか１項記載のセット組立てした墓の施工方法である。
（６）前項（１）乃至（５）のいずれか１項に記載された施工方法で施したセット組立てした墓である。
【発明の効果】
【０００６】
（１）墓石類構成体を工場で組立てて一体化させる工程と並行して、施工現場における基礎コンクリート打設が行えるためアイドル期間を要することなく施工が実施できる。
（２）工場等で組立てて一体化した墓石セットと、施工現場で打設した基礎コンクリートの据付け面が予めレベル出しできるから、施工現場での据付けに手間がかからない。
（３）基礎コンクリートとコンクリート座板はシリコーン系あるいはエポキシ系を主とする接着剤で固着するから、養生期間を要することなく、基礎コンクリート上面に墓を固定できる。
【発明を実施するための最良の形態】
【０００７】
基礎コンクリート打設する場合、まず床堀を行ってから割栗を敷設し、ランマー又はローラー等で転圧した後、周囲に型枠を組立て、型枠内に鉄筋を格子状に配置して互に鉄線で結束する。次に型枠内にコンクリートを打設し基礎コンクリート面のレベル出しを行う。
【０００８】
基礎コンクリート打設と並行して工場では墓石セットの組立てを行う。墓石セットは墓石本体部と、納骨堂部及び拝観門部からなり、それぞれが複数の墓石類構成体から組立てられている。
【０００９】
墓石本体部は、蓋石の上に下台，上台及び石碑（竿石又は仏石）の順に組立てられているが、その他に花立，水鉢，蝋燭立て等が附属する。
【００１０】
納骨堂部は、コンクリート座板の左右両端部と後端部に玉垣を立設し、該玉垣内に４本の角柱を立設し、該角柱間を腰壁で接続して構成されているが、さらにはお供台，湯呑み立て，線香立て等が附属する。また納骨堂部の正面は通常観音開きの扉を設けることとする。
【００１１】
拝観門部は、コンクリート座板の左右両端部に玉垣をそれぞれ立設し、上記コンクリート座板の左右両前端にはそれぞれ門柱を立設するが、その他に物置、銘碑等が附属する。また門柱の上端には置灯篭を設置することがある。
【実施例１】
【００１２】
本発明の実施例を図に基づいて説明する。図１は本発明の実施例を示す斜視図である。Ａは墓石本体部，Ｂは納骨堂部，Ｃは拝観門部である。墓石本体部Ａは、図２に示す如く、蓋石１の上に下台（別名二重）２，上台（別名レンギ）３及び石碑（竿石又は仏石）４の順に組立てられ、花立５，水鉢６，蝋燭立て７が付属する。蓋石１以下の墓石類構成体は互に接着剤で固結され一体化されている。接着剤はシリコーンゴム等で改質したエポキシ樹脂系接着剤が有効であるが必ずしもこれに限定するものではない。
【００１３】
納骨堂部Ｂは、図３に示す如くコンクリート座板１８の左右両端部と後端部に玉垣８，８…を立設し、玉垣８，８…に囲まれた空間内に方形の区画を形成するよう４本の角柱９，９…を立設し、角柱９，９…間１を腰壁１０，１０，１０で接続し該腰壁１０，１０，１０の上面に前記墓石本体部の蓋石１を載置して接着剤で固着させてある。納骨堂部Ｂには、お供台１１，湯呑み立て１２，線香立て１３が附属する。なお、角柱９，９間の正面に面した部分は観音開きの扉２２が設けられ、納骨の出入が行えるようになっている。
【００１４】
拝観門部Ｃは、図４に示す如く納骨堂部Ｂの前端に接してコンクリート座板１８があり、納骨堂部の玉垣８，８に連続して玉垣１５，１５が設けられている。玉垣１５，１５の前端には門柱１４，１４が立設されているなお、門柱１５，１５の上面には置灯篭２３，２３がそれぞれ載置されている。また、納骨堂部には、通常、物置１６と銘碑１７が設置されている。
【００１５】
図２は、墓石本体部Ａの斜視図，図３は納骨堂部Ｂの斜視図，図４は拝観門部Ｃの斜視図であり、墓石セットである墓石本体部Ａ，納骨堂部Ｂ，拝観門部Ｃはそれぞれを構成する墓石類構成体は互に接着剤で固着され一体化している。
【００１６】
図５は、基礎コンクリートの斜視図である。割栗２１の上に鉄筋２０が格子状に配設され、鉄筋は互に鉄線（図示せず）で結束されている。基礎コンクリートの略中央附近には排水用穴１９ａが穿設されている。
図６は、図５のＡ−Ａ断面図である。
【００１７】
図７は、本名発明に係るセット組立てした墓の施工方法を示すフローチャートである。
まず原石を切出し、原石を工場に搬入し石材加工をして複数の墓石類構成体を製造する。次に墓石類構成体を組合せて互に接着剤で固着し一体化して墓石セットとする。石碑，銘碑等には家紋や戒名その他必要な字句等を刻設する。
【００１８】
墓石セット組立てと並行して、墓施工現場においては、床堀りを行い、割栗２１を敷設し、ランマー又はローラー等で地表を転圧し、転圧面上に鉄筋２０を網状に配設して互に鉄線で結束する。鉄筋の周囲に型枠を組立て、型枠内に基礎コンクリート１９を打設すると共にレベル出しを行う。
【００１９】
基礎コンクリート１９の養成期間が経過した後に型枠を取り外し、墓石セットを基礎コンクリート１９上へ運搬してクレーン等を用い載置する。前方に拝観門部Ｃ、その後方に納骨堂部Ｂを載置し、コンクリート座板１８と基礎コンクリート１９を互に接着剤で固着した後、墓石本体部Ａを納骨堂部Ｂの上面に載置し、接着剤で固着する。
【産業上の利用可能性】
【００２０】
納骨堂部Ｂや拝観門部Ｃ等を有し、多数の墓石類構成体からなる複雑且つ大型の墓の施工が特別の熟練を必要とせず、比較的短期間に容易に施工できるという利点が本発明によって得られる。
【図面の簡単な説明】
【００２１】
【図１】セット組立てした墓の実施例を示す斜視図である。
【図２】墓石本体部の斜視図である。
【図３】納骨堂部の斜視図である。
【図４】拝観門部の斜視図である。
【図５】基礎コンクリートの斜視図である。
【図６】図５のＡ−Ａ断面図である。
【図７】セット組立てした墓の施工方法を示すフローチャートである。
【符号の説明】
【００２２】
Ａ  墓石本体部
Ｂ  納骨堂部
Ｃ  拝観門部
１  蓋石（別名  スラブ）
２  下台（別名  二重）
３  上台（別名  レンギ）
４  石碑（竿石又は仏石）
５  花立
６  水鉢
７  蝋燭立て
８，１５  玉垣
９  角柱
１０  腰壁
１１  お供台
１２  湯呑み立て
１３  線香立て
１４  門柱
１６  物置
１７  銘碑
１８  コンクリート座板
１９  基礎コンクリート
１９ａ  排水用穴
２０  鉄筋
２１  割栗
２２  扉
２３  置灯篭
【図１】
2005126937.tif 000003
【図２】
2005126937.tif 000004
【図３】
2005126937.tif 000005
【図４】
2005126937.tif 000006
【図５】
2005126937.tif 000007
【図６】
2005126937.tif 000008
【図７】
2005126937.tif 000009